(57)【特許請求の範囲】
【請求項１】
筆記面を囲む外装枠を有するライティングボードにおいて、前記外装枠に、弾性を有する薄板状の外装部材を着脱自在に装着してその外装枠の表面を覆ったことを特徴とする、ライティングボード。
【請求項２】
前記外装部材が、前記外装枠の表面形状に沿った断面コ字状となっていることを特徴とする、請求項１に記載のライティングボード。
【請求項３】
前記外装部材の表面に、光沢強化処理を施してあることを特徴とする、請求項１、または２に記載のライティングボード。
【請求項４】
前記外装部材の表面に、図柄または着色による装飾処理を施してあることを特徴とする、請求項１、２、または３に記載のライティングボード。
【発明の詳細な説明】
【０００１】
【発明の属する技術分野】
この発明は、筆記面を囲む外装枠を有するライティングボードに関し、たとえば電子黒板や黒板やホワイトボードや掲示板や伝言板やＯＨＰ（オーバーヘッドプロジェクタ）用の投影ボード等に適用し得るものである。
【０００２】
【従来の技術】
従来、たとえば電子黒板においては、専用のマーカペン（ケトン系マーカ、アルコール系マーカ）が使用されている。そのマーカペンを用いて書込みを行うとき、筆記面から落下する消しカスについては、たとえば実開平６２−１６７６９２号公報に記載されているような構造で外装枠の下枠に着脱自在に装着した粉受けトレイで受け止めるようにしているが、外装枠に付着することは避けられず、その汚れについては、従来は特に対策を講じていない。
【０００３】
【発明が解決しようとする課題】
外装枠の汚れの原因の一つとしては、マーカペンの成分として顔料と定着剤（オイルとワックス）が混じった消しカスが外装枠の樹脂材料表面の凹凸部に入り込むためで、最近では外装枠を白系にするデザインが多く、特に汚れが目立つよになっている。
【０００４】
他の原因としては、マーカペンの試し書を外装枠表面に行ったり、接着テープ等を何回も外装枠に貼り付けて、その粘着剤や粘着剤に付着した消しカスが外装枠にこびり付いた状態となるからである。
【０００５】
多くの人が見る機会が多いライティングボードにとっては、外観品質維持のために外装枠は常に綺麗にしておきたいところであるが、外装枠を分解して清掃したり交換することは実際上不可能であるので、ひどく汚れてしまった外装枠を綺麗にすることは従来ではなかなか難しかった。
【０００６】
また、ライティングボードの機能としては、その筆記面へ記載するという本来の機能（電子黒板の場合にはさらにプリントアウトするという機能）の他に、ＯＨＰフィルムや専用チャートを接着テープ等で外装枠に止めてチャート保持台として利用したり、外装枠に金属板を貼り付け、これにマグネットを吸着させてメモ用紙等を止めるマグネット吸着台として利用する場合も多い。
【０００７】
しかし、外装枠自体に紙等のシートを止める手段がないため、接着テープ等を使用して上記のように外装枠の汚れを招くことになり、また樹脂成型品である外装枠と金属部材とでは質感が異なるので、デザイン的にイメージが悪くなるとか、金属部材を別に取り付けることによってコストアップとなっていた。
【０００８】
また、外装枠を構成する型材には、コスト面および製造上に有利である押し出し樹脂成型品が多用されているが、その樹脂材料は比較的軟らかいため、傷がつきやすく、またインジェクション成型と異なり、装飾性が乏しいという問題があった。
【０００９】
この発明の第１の目的は、外装枠表面を交換容易な外装部材で覆うことにより、外装枠自体は交換しなくとも汚れた外装部材のみを交換するだけで、表面を新品にできるようにすることにある。
第２の目的は、接着テープ等を使用せずに専用チャート等を外装枠に支持できようにすることにある。
第３の目的は、マーカインキ等の付着を防止できるとともに、外装枠表面の強度を高めることにある。
第４の目的は、外装枠表面の装飾効果を高めることにある。
【００１０】
【発明が解決しようとする課題】
この発明は、外装枠に、弾性を有する薄板状の外装部材を着脱自在に装着して外装枠の表面を覆うことにより、上記第１の目的を達成する。
【００１１】
また、外装部材を、外装枠の表面形状に沿った断面コ字状とすることにより、第２の目的の目的を達成する。
【００１２】
さらに、外装部材の表面に光沢強化処理を施すことにより、第３の目的を達成する。
【００１３】
また、外装部材の表面に図柄または着色による装飾処理を施すことにより、第４の目的を達成する。
【００１４】
【発明の実施の形態】
次に、本発明の実施の形態を図面に基づいて説明する。
【００１５】
図１は、筆記面となるエンドレスシート１を用いた電子黒板の外観斜視図である。エンドレスシート１は、四隅同形状のコーナ枠２と上枠３と左右の側枠４と下枠５とからなる外装枠内で搬送される。外装枠は、スタンド６を支持するフレーム７の前面に支持されている。下枠５には、粉受けトレイ８が取り付けられている。
【００１６】
図２および図３に示すように、コーナ枠２は、樹脂材料により中実体として押し出し樹脂成形されている。上枠３と左右の側枠４と下枠５には、樹脂材料により断面Ｌ字形状の中空体として押し出し樹脂成型された共通の樹脂成型品が使用されている。
【００１７】
コーナ枠２には、直角な方向に同じ形状の接合突出部２ａが一体に突出形成され、各接合突出部２ａには各々２個の孔６が設けられている。
【００１８】
上枠３と左右の側枠４と下枠５のそれぞれの一側後辺縁には、中空のまま内側に折り曲げたような中空凸部９が一体に形成され、またそれぞれの他側後辺縁には、板状のまま後方に突出した突出部１０が形成されている。
【００１９】
コーナ枠２と左の側枠４と下枠５とは、図２に示すように、コーナ枠２の接合突出部２ａに、左の側枠４と下枠５の各端部を嵌合させ、金属板をＬ字形に曲げたブラケット１１を用いて、ビス１３によりフレーム７の枠板１２に緊締して取り付けられている。ブラケット１１には、ビス１３を貫通させる孔１４が設けられている。コーナ枠２と上枠３と左右の側枠４と下枠５とは、四隅において同様に取り付けられている。
【００２０】
図３および図４に示すように、同じ樹脂成型品である上枠３と左右の側枠４と下枠５のそれぞれには、薄板状の弾性を有する外装部材１５が着脱自在に装着され、これら上枠３と左右の側枠４と下枠５のそれぞれの表面は外装部材１５により覆われている。
【００２１】
外装部材１５は、同じ樹脂成型品である上枠３と左右の側枠４と下枠５のそれぞれの表面に密着嵌合する断面コ字形状で、しかも外装部材１５の一側後辺縁には、上枠３と左右の側枠４と下枠５のそれぞれの中空凸部９に密着嵌合するコ字状の係止部１５ａ、他側後辺縁には、枠３と左右の側枠４と下枠５のそれぞれの突出部１０と係合するＬ字状の係止部１５ｂが形成されている。
【００２２】
外装部材１５は、上枠３と左右の側枠４と下枠５の表面に密着嵌合させる際に、強制的に強く曲げても強度が保てる樹脂材料、たとえばポリカーボネートやポリエチレンテレフタレート等で一体成型するのが好ましいが、薄い金属板、たとえば０．２ないし０．５ｍｍ程度の厚さのステンレス板であってもよい。
【００２３】
また、外装部材１５を上枠３と左右の側枠４と下枠５のそれぞれの表面に嵌合させた後も、外装部材１５のバネ力が十分活かされて不用意に外れないように、図４に示すように外装部材１５の前部を鎖線で示す状態から実線で示す状態へと湾曲させ、しかもその曲率を上枠３と左右の側枠４と下枠５の前面の曲率よりもややきつくするか、図５に示すように、外装部材１５の前部の後面中央に凸条１５ｃを形成すればよい。
【００２４】
さらに、外装部材１５の表面に光沢強化処理（ハード処理）を施せば、マーカインキ等の付着が防止され、また表面に図柄や絵柄や着色を施せば、装飾効果も高くなる。
【００２５】
図６は、外装枠の上枠３と左右の側枠４のそれぞれに外装部材１５を装着した外観斜視図である。外装部材１５は、薄板状の弾性を有する断面コ字形状で、同じ樹脂成型品である上枠３と左右の側枠４のそれぞれの表面に嵌合されているため、これらの枠と外装部材１５との間に専用チャートやメモ用紙等を挟んで止めておくことができる。図６は、上枠３と外装部材１５との間にＡ０サイズの上質紙１６を挟んで止めた状態を示している。
【００２６】
上枠３と左右の側枠４（あるいはさらに下枠５）のそれぞれに装着された外装部材１５は、断面コ字形状で、その弾性によりこれら上枠３と左右の側枠４（さらに下枠５）を抱持して覆っている上に、両側の係止部１５ａ・１５ｂが、上枠３と左右の側枠４（さらに下枠５）のそれぞれの中空凸部９と突出部１０に係合しているため、不用意に外れることはないが、マイナスドライバ等の工具を用いれば比較的容易に取り外すことができる。
【００２７】
【発明の効果】
この発明によれば、外装枠表面を着脱自在な外装部材で覆ったので、外装枠自体は交換しなくとも汚れた外装部材のみを交換するだけで、外装枠表面を新品にできる。また、比較的軟らかい樹脂成型品である外装枠を保護できる。
【００２８】
請求項２に記載の発明によれば、外装部材が、外装枠の表面形状に沿った断面コ字状となっているので、上記の効果に加え、外装枠と外装部材との間に専用チャートやメモ用紙等を挟んで止めておくことが可能となり、接着テープやマグネット等を使用しなく済む。
【００２９】
請求項３に記載の発明によれば、外装部材の表面に光沢強化処理を施したので、マーカインキ等の付着を防止して、いつまでも光沢のある外観品質を保つことができる。
【００３０】
請求項４に記載の発明によれば、外装部材の表面に図柄または着色による装飾処理を施すことにより、ユーザの好みに応じた外観の商品を提供できる。
【図面の簡単な説明】
【図１】この発明を適用する電子黒板の一例の外観斜視図である。
【図２】外装枠を構成する部材をフレームに取り付ける状態を示す一部の分解斜視図である。
【図３】外装部材と外装枠を構成するコーナ枠、上枠および側枠の斜視図である。
【図４】前部を湾曲させた外装部材と側枠との斜視図である。
【図５】前部の後面に凸条を形成した外装部材と側枠との斜視図である。
【図６】この発明を適用した電子黒板の使用状態を示す外観斜視図である。
【符号の説明】
１    エンドレスシート
２    コーナ枠
３    上枠
４    左右の側枠
５    下枠
１５  外装部材
【図１】
0003883084.tif 000002
【図２】
0003883084.tif 000003
【図３】
0003883084.tif 000004
【図４】
0003883084.tif 000005
【図５】
0003883084.tif 000006
【図６】
0003883084.tif 000007